(57)【要約】【課題】車両ボディにおける広範囲の部分を、均一に加熱することができる誘導加熱乾燥装置を提供すること。【解決手段】誘導加熱乾燥装置１は、渦巻き形状に形成された複数の第１誘導加熱コイル２１Ａが配列された第１誘導加熱コイル群２Ａと、渦巻き形状に形成された複数の第２誘導加熱コイル２１Ｂが、第１誘導加熱コイル群２Ａに対して略平行に重なって配列された第２誘導加熱コイル群２Ｂとを備えている。第１誘導加熱コイル群２Ａにおいて強い磁力線が発生する部位と、第２誘導加熱コイル群２Ｂにおいて強い磁力線が発生する部位とは、面方向において互いにずれている。誘導加熱乾燥装置１は、複数の第１誘導加熱コイル２１Ａと複数の第２誘導加熱コイル２１Ｂとに、通電するタイミングをずらして交互に繰り返し通電を行う。【選択図】図１
2014074541.tif 000002
【特許請求の範囲】
【請求項１】
車両ボディに対して誘導加熱を行って、その表面を乾燥させる誘導加熱乾燥装置であって、
渦巻き形状に形成された複数の第１誘導加熱コイルが、上記車両ボディの形状に沿って、面方向に互いに隣接して板状に配列された第１誘導加熱コイル群と、
渦巻き形状に形成された複数の第２誘導加熱コイルが、上記第１誘導加熱コイル群に対して略平行に重なって、面方向に互いに隣接して板状に配列された第２誘導加熱コイル群と、を備えており、
互いに隣接する上記第１誘導加熱コイルは、互いに逆巻き方向に通電して、互いに対向する外周部分における同じ方向に電流を流して、該外周部分に、他の部分よりも強い磁力線を発生させるよう構成されており、
互いに隣接する上記第２誘導加熱コイルは、互いに逆巻き方向に通電して、互いに対向する外周部分における同じ方向に電流を流して、該外周部分に、他の部分よりも強い磁力線を発生させるよう構成されており、
上記第１誘導加熱コイル群において強い磁力線が発生する部位と、上記第２誘導加熱コイル群において強い磁力線が発生する部位とは、面方向において互いにずれており、
上記複数の第１誘導加熱コイルと上記複数の第２誘導加熱コイルとに異なるタイミングで通電を行うよう構成されていることを特徴とする誘導加熱乾燥装置。
【請求項２】
請求項１に記載の誘導加熱乾燥装置において、上記複数の第１誘導加熱コイルと上記複数の第２誘導加熱コイルとに交互に繰り返し通電を行うよう構成されていることを特徴とする誘導加熱乾燥装置。
【請求項３】
請求項１又は２に記載の誘導加熱乾燥装置において、上記第１誘導加熱コイル群は、四角の渦巻き形状に形成された複数の第１誘導加熱コイルを格子状に配列して形成されており、
上記第２誘導加熱コイル群は、四角の渦巻き形状に形成された複数の第２誘導加熱コイルを格子状に配列して形成されており、
上記複数の第２誘導加熱コイルの配列ピッチは、上記複数の第１誘導加熱コイルの配列ピッチと同じであり、
上記複数の第２誘導加熱コイルは、上記複数の第１誘導加熱コイルに対して略半ピッチ分だけ一方向にずれて配列されていることを特徴とする誘導加熱乾燥装置。
【請求項４】
請求項１〜３のいずれか一項に記載の誘導加熱乾燥装置において、上記複数の第１誘導加熱コイル及び上記複数の第２誘導加熱コイルは、上記車両ボディの底部の外側面における略全面に配列されていることを特徴とする誘導加熱乾燥装置。
【請求項５】
請求項１〜４のいずれか一項に記載の誘導加熱乾燥装置において、上記複数の第１誘導加熱コイルと上記複数の第２誘導加熱コイルとは、所定の周波数の交流電圧を印加して通電を行う通電時と、該通電を停止して待機する待機時とを、交互に繰り返し実行するよう構成されていることを特徴とする誘導加熱乾燥装置。
【発明の詳細な説明】
【技術分野】
【０００１】
本発明は、車両ボディに対して誘導加熱を行って、その表面を乾燥させる誘導加熱乾燥装置に関する。
【背景技術】
【０００２】
従来より、自動車等の車両ボディに塗装を行った後には、この車両ボディを乾燥炉内へ搬送し、乾燥炉内において、バーナの燃焼を行って発生させた熱風をファンによって送風して、車両ボディを加熱して乾燥させている。
一方、乾燥炉を用いて乾燥を行う際には、乾燥炉内の温度分布が不均一になったり、塗膜の外面が内面よりも先に乾くことによって塗装の品質に影響が生じたり、塗装面に埃が付着したりする問題が生じるおそれがある。
【０００３】
そこで、例えば、特許文献１の誘導加熱乾燥装置においては、車両ボディの各部の外板に対して誘導加熱を行って、各部の外板の表面を乾燥させることが開示されている。この誘導加熱乾燥装置においては、固有抵抗値の異なる複数の金属板を、誘導加熱コイルの通電条件を異ならせて誘導加熱することにより、各部の外板を安定して略均一に加熱して乾燥させている。
【０００４】
また、例えば、特許文献２の誘導加熱装置は、ワークの上面に対向して所定のピッチで複数配置される上側コイル群と、ワークの下面に対向して上側コイル群の配置ピッチと同じピッチで複数配置される下側コイル群とを備えている。上側コイル群の各コイルの中心位置は、下側コイル群の各コイルの中心位置と半ピッチずれて配置されており、上側コイル群へ通電する位相と、上側コイル群へ通電する位相とを９０°ずらしている。そして、ワークを挟む上下コイルによる誘導加熱において、ワークの温度分布を均一化している。
【先行技術文献】
【特許文献】
【０００５】
【特許文献１】特開２０１１−６９５００号公報
【特許文献２】特開２００７−２００８１３号公報
【発明の概要】
【発明が解決しようとする課題】
【０００６】
しかしながら、車両ボディ等の大きな構造体になると、金属板の両面から誘導加熱することができず、構造体の全体を均一に加熱するためには更なる工夫が必要とされる。
【０００７】
本発明は、かかる背景に鑑みてなされたもので、車両ボディにおける広範囲の部分を、均一に加熱することができる誘導加熱乾燥装置を提供しようとして得られたものである。
【課題を解決するための手段】
【０００８】
本発明の一態様は、車両ボディに対して誘導加熱を行って、その表面を乾燥させる誘導加熱乾燥装置であって、
渦巻き形状に形成された複数の第１誘導加熱コイルが、上記車両ボディの形状に沿って、面方向に互いに隣接して板状に配列された第１誘導加熱コイル群と、
渦巻き形状に形成された複数の第２誘導加熱コイルが、上記第１誘導加熱コイル群に対して略平行に重なって、面方向に互いに隣接して板状に配列された第２誘導加熱コイル群と、を備えており、
互いに隣接する上記第１誘導加熱コイルは、互いに逆巻き方向に通電して、互いに対向する外周部分における同じ方向に電流を流して、該外周部分に、他の部分よりも強い磁力線を発生させるよう構成されており、
互いに隣接する上記第２誘導加熱コイルは、互いに逆巻き方向に通電して、互いに対向する外周部分における同じ方向に電流を流して、該外周部分に、他の部分よりも強い磁力線を発生させるよう構成されており、
上記第１誘導加熱コイル群において強い磁力線が発生する部位と、上記第２誘導加熱コイル群において強い磁力線が発生する部位とは、面方向において互いにずれており、
上記複数の第１誘導加熱コイルと上記複数の第２誘導加熱コイルとに異なるタイミングで通電を行うよう構成されていることを特徴とする誘導加熱乾燥装置にある（請求項１）。
【発明の効果】
【０００９】
上記誘導加熱乾燥装置は、渦巻き形状の複数の第１誘導加熱コイルによる第１誘導加熱コイル群と、渦巻き形状の複数の第２誘導加熱コイルによる第２誘導加熱コイル群とを略平行に重ねて形成されている。
互いに隣接する第１誘導加熱コイルに互いに逆巻き方向に通電することにより、第１誘導加熱コイルの互いに対向する外周部分には同じ方向に電流が流れ、他の部分よりも強い磁力線が発生する。また、互いに隣接する第２誘導加熱コイルに互いに逆巻き方向に通電することにより、第２誘導加熱コイルの互いに対向する外周部分には同じ方向に電流が流れ、他の部分よりも強い磁力線が発生する。また、第１誘導加熱コイル群において強い磁力線が発生する部位と、第２誘導加熱コイル群において強い磁力線が発生する部位とが面方向において互いにずれており、複数の第１誘導加熱コイルと複数の第２誘導加熱コイルとに、タイミングをずらして通電を行う。
【００１０】
これにより、各第１誘導加熱コイルによって強い磁力線が発生する部位に対向する車両ボディの部分には、強い渦電流が発生し、この強い渦電流が発生した部位が強く加熱される。また、各第１誘導加熱コイルによって強く加熱されなかった車両ボディの部分は、各第２誘導加熱コイルによって発生する強い渦電流によって強く加熱される。
それ故、上記誘導加熱乾燥装置によれば、車両ボディにおける広範囲の部分を、均一に加熱することができる。
【図面の簡単な説明】
【００１１】
【図１】実施例にかかる、車両ボディの底部に誘導加熱乾燥装置を配置した状態を、側方から見た状態で模式的に示す説明図。
【図２】実施例にかかる、車両ボディの底部に誘導加熱乾燥装置を配置した状態を、後方から見た状態で模式的に示す説明図。
【図３】実施例にかかる、第１誘導加熱コイル群（又は第２誘導加熱コイル群）を平面的に配列した状態を示す説明図。
【図４】実施例にかかる、第１誘導加熱コイル群及び第２誘導加熱コイル群によって加熱される車両ボディの底部の加熱状態を模式的に示す説明図。
【図５】実施例にかかる、第１誘導加熱コイル群及び第２誘導加熱コイル群の配列状態を側方から見た状態で模式的に示す説明図。
【図６】実施例にかかる、誘導加熱乾燥装置の電気的構成を模式的に示す説明図。
【図７】実施例にかかる、横軸に時間をとり、縦軸に印加電圧をとって、第１誘導加熱コイル群と第２誘導加熱コイル群とに通電を行うタイミングを示すグラフ。
【発明を実施するための形態】
【００１２】
上述した誘導加熱乾燥装置における好ましい実施の形態につき説明する。
上記誘導加熱乾燥装置において、上記面方向とは、上記車両ボディの形状に沿った面の方向のことをいう。
上記誘導加熱乾燥装置は、上記複数の第１誘導加熱コイルと上記複数の第２誘導加熱コイルとに交互に繰り返し通電を行うよう構成されていてもよい（請求項２）。
この場合には、車両ボディにおける広範囲の部分を、より均一に安定して加熱することができる。
【００１３】
また、上記第１誘導加熱コイル群は、四角の渦巻き形状に形成された複数の第１誘導加熱コイルを格子状に配列して形成されており、上記第２誘導加熱コイル群は、四角の渦巻き形状に形成された複数の第２誘導加熱コイルを格子状に配列して形成されており、上記複数の第２誘導加熱コイルの配列ピッチは、上記複数の第１誘導加熱コイルの配列ピッチと同じであり、上記複数の第２誘導加熱コイルは、上記複数の第１誘導加熱コイルに対して略半ピッチ分だけ一方向にずれて配列されていてもよい（請求項３）。
【００１４】
この場合には、第１誘導加熱コイル及び第２誘導加熱コイルの渦巻き形状が簡単で適切であり、車両ボディにおける広範囲の箇所を均一に効果的に加熱することができる。
なお、略半ピッチ分だけ一方向にずれていることが意味するものは、完全な半ピッチ分だけ一方向にずれている場合だけでなく、例えば、１／３〜２／３のピッチ分だけ一方向にずれている場合も含むものとする。
【００１５】
また、上記複数の第１誘導加熱コイル及び上記複数の第２誘導加熱コイルは、上記車両ボディの底部の外側面における略全面に配列されていてもよい（請求項４）。
この場合には、使用される鋼板が厚くて熱容量が大きい、車両ボディの底部を、短時間で効果的に加熱することができる。
【００１６】
また、上記複数の第１誘導加熱コイルと上記複数の第２誘導加熱コイルとは、所定の周波数の交流電圧を印加して通電を行う通電時と、該通電を停止して待機する待機時とを、交互に繰り返し実行するよう構成されていてもよい（請求項５）。
この場合には、誘導加熱乾燥装置においては、第１電源装置によって印加する交流電圧の位相と、第２電源装置によって印加する交流電圧の位相とをずらすのではなく、第１誘導加熱コイルに通電を行う時間帯と、第２誘導加熱コイルに通電を行う時間帯とをずらす。そのため、第１誘導加熱コイル群による車両ボディの底部の誘導加熱と、第２誘導加熱コイル群による車両ボディの底部の誘導加熱とを別々に繰り返し行って、第１電源装置及び第２電源装置に必要とされる電力のピーク値を抑えることができる。
【実施例】
【００１７】
以下に、上記誘導加熱乾燥装置にかかる実施例につき、図面を参照して説明する。
本例の誘導加熱乾燥装置１は、図１、図２に示すごとく、車両ボディ３に対して誘導加熱を行って、その表面を乾燥させるものである。誘導加熱乾燥装置１は、渦巻き形状に形成された複数の第１誘導加熱コイル２１Ａが、車両ボディ３の形状に沿って、面方向に互いに隣接して板状に配列された第１誘導加熱コイル群２Ａと、渦巻き形状に形成された複数の第２誘導加熱コイル２１Ｂが、第１誘導加熱コイル群２Ａに対して略平行に重なって、面方向に互いに隣接して板状に配列された第２誘導加熱コイル群２Ｂとを備えている。
【００１８】
図３に示すごとく、互いに隣接する第１誘導加熱コイル２１Ａは、互いに逆巻き方向に通電して、互いに対向する外周部分２１１における同じ方向に電流Ｉを流して、この外周部分２１１に、他の部分よりも強い磁力線を発生させるよう構成されている。互いに隣接する第２誘導加熱コイル２１Ｂは、互いに逆巻き方向に通電して、互いに対向する外周部分２１１における同じ方向に電流Ｉを流して、この外周部分２１１に、他の部分よりも強い磁力線を発生させるよう構成されている。
【００１９】
図４、図５に示すごとく、第１誘導加熱コイル群２Ａにおいて強い磁力線が発生する部位と、第２誘導加熱コイル群２Ｂにおいて強い磁力線が発生する部位とは、面方向において互いにずれている。そして、図６、図７に示すごとく、誘導加熱乾燥装置１は、複数の第１誘導加熱コイル２１Ａと複数の第２誘導加熱コイル２１Ｂとに、通電するタイミングをずらして交互に繰り返し通電を行うよう構成されている。
【００２０】
以下に、本例の誘導加熱乾燥装置１につき、図１〜図７を参照して詳説する。
図１、図２は、車両ボディ３の底部３１に誘導加熱乾燥装置１を配置した状態を模式的に示し、図１は、側方から見た状態、図２は、後方から見た状態で示す。同各図に示すごとく、本例の誘導加熱乾燥装置１は、電着塗装等の塗装を行った後の車両ボディ（メインボディ）３の底部３１の外側面（下面）３１１を加熱し、底部３１を構成する鋼板における塗装膜を加熱して乾燥させるために用いる。車両ボディ３は、搬送ラインによって、車両ボディ３に塗装が行われる塗装工程から、誘導加熱乾燥装置１によって車両ボディ３の乾燥を行う乾燥工程まで搬送されるようになっている。第１誘導加熱コイル群２Ａ及び第２誘導加熱コイル群２Ｂによる誘導加熱乾燥装置１は、乾燥工程を形成する搬送ラインの床面に設置されている。そして、車両ボディ３は、誘導加熱乾燥装置１の上方に配置される。
【００２１】
図６は、誘導加熱乾燥装置１の電気的構成を模式的に示す。同図に示すごとく、複数の第１誘導加熱コイル２１Ａは、その全体が直列に接続されており、本例の複数の第２誘導加熱コイル２１Ｂは、その全体が直列に接続されている。複数の第１誘導加熱コイル２１Ａは、交流電圧を印加する第１電源装置２２Ａに接続されており、複数の第２誘導加熱コイル２１Ｂは、交流電圧を印加する第２電源装置２２Ｂに接続されている。
【００２２】
複数の第１誘導加熱コイル２１Ａ及び複数の第２誘導加熱コイル２１Ｂは、車両ボディ３の底部３１における鋼板の厚み・形状等に応じて、部位によって加熱量を異ならせるために、所定数ごとに分割した分割組として接続することができる。この場合には、第１電源装置２２Ａ及び第２電源装置２２Ｂを、分割組を構成する複数の第１誘導加熱コイル２１Ａ及び複数の第２誘導加熱コイル２１Ｂごとに接続し、各第１電源装置２２Ａ及び各第２電源装置２２Ｂごとに、印加電圧値、通電電流値、通電時間、周波数等の通電条件を設定することができる。
【００２３】
図７は、横軸に時間ｔをとり、縦軸に印加電圧Ｖをとって、第１誘導加熱コイル群２Ａと第２誘導加熱コイル群２Ｂとに通電を行うタイミングを示す。同図に示すごとく、第１誘導加熱コイル群２Ａと第２誘導加熱コイル群２Ｂとは、所定の周波数の交流電圧を印加して通電を行う通電時Ｔ１と、この通電を停止して待機する待機時Ｔ２とを、交互に繰り返し実行するよう構成されている。同図においては、通電時Ｔ１に交流電圧を印加することを示す。
【００２４】
誘導加熱乾燥装置１においては、第１電源装置２２Ａによって印加する交流電圧の位相と、第２電源装置２２Ｂによって印加する交流電圧の位相とをずらすのではなく、第１誘導加熱コイル群２Ａに通電を行う時間帯と、第２誘導加熱コイル群２Ｂに通電を行う時間帯とをずらしている。そのため、第１誘導加熱コイル群２Ａによる車両ボディ３の底部３１の誘導加熱と、第２誘導加熱コイル群２Ｂによる車両ボディ３の底部３１の誘導加熱とを切り分けて、第１電源装置２２Ａ及び第２電源装置２２Ｂに必要とされる電力のピーク値を抑えることができる。
【００２５】
図１、図２に示すごとく、本例の誘導加熱乾燥装置１においては、第１誘導加熱コイル群２Ａを車両ボディ３の底部３１に近い側に配置し、第２誘導加熱コイル群２Ｂを車両ボディ３の底部３１から遠い側に配置する。各誘導加熱コイル群２Ａ，２Ｂに同じ通電を行うと、第１誘導加熱コイル群２Ａに比べて第２誘導加熱コイル群２Ｂの方が底部３１からの距離が遠くなる分、車両ボディ３の底部３１を誘導加熱する量は、第１誘導加熱コイル群２Ａに比べて第２誘導加熱コイル群２Ｂの方が少なくなる。そのため、第１誘導加熱コイル群２Ａに対する印加電圧値、通電電流値、通電時間、周波数等の通電条件に比べて、第２誘導加熱コイル群２Ｂに対する印加電圧値、通電電流値、通電時間、周波数等の通電条件を高くすることができる。これにより、車両ボディ３の底部３１の全体をより均一に加熱することができる。
【００２６】
図３は、第１誘導加熱コイル群２Ａ（又は第２誘導加熱コイル群２Ｂ）を平面的に配列した状態を示す。同図に示すごとく、第１誘導加熱コイル群２Ａは、四角の渦巻き形状に形成された複数の第１誘導加熱コイル２１Ａを格子状に配列して形成されている。また、第２誘導加熱コイル群２Ｂは、四角の渦巻き形状に形成された複数の第２誘導加熱コイル２１Ｂを格子状に配列して形成されている。
【００２７】
各誘導加熱コイル２１Ａ，２１Ｂは、中心部分２１２から外周部分２１１に向かうに従って、四角形状が順次大きくなる渦巻き形状に形成され、中心部分２１２と最外周部分２１１とからコイル端部２１５，２１６が引き出されている。各コイル端部２１５，２１６同士が接続されて、第１誘導加熱コイル群２Ａ又は第２誘導加熱コイル群２Ｂが形成されている。各誘導加熱コイル２１Ａ，２１Ｂは、外周側のコイル端部２１５から通電するものと、中心側のコイル端部２１６から通電するものとが、面方向の縦方向及び横方向に向けて、交互に配列されている。
【００２８】
直線平板形状を有する、車両ボディ３の底部３１に対向する位置においては、端に位置するものを除いて、各第１誘導加熱コイル２１Ａ同士及び各第２誘導加熱コイル２１Ｂ同士は、それぞれ同じ大きさに形成することができ、各第１誘導加熱コイル２１Ａと各第２誘導加熱コイル２１Ｂとは、同じ大きさに形成することができる。
また、屈曲平板形状（立体的形状）を有する、車両ボディ３の底部３１に対向する位置においては、底部３１の屈曲平板形状に合わせて、各第１誘導加熱コイル２１Ａ同士及び各第２誘導加熱コイル２１Ｂ同士の大きさを適宜異ならせることができ、各第１誘導加熱コイル２１Ａと各第２誘導加熱コイル２１Ｂとの大きさも、適宜異ならせることができる。
【００２９】
図５は、第１誘導加熱コイル群２Ａ及び第２誘導加熱コイル群２Ｂの配列状態を側方から見た状態で模式的に示す。同図に示すごとく、複数の第２誘導加熱コイル２１Ｂの配列ピッチＰは、複数の第１誘導加熱コイル２１Ａの配列ピッチＰと同じである。複数の第２誘導加熱コイル２１Ｂは、複数の第１誘導加熱コイル２１Ａに対して略半ピッチＰ／２分だけ一方向にずれて配列されている。なお、各第２誘導加熱コイル２１Ｂが、各第１誘導加熱コイル２１Ａに対して一方向にずれる量は、特に車両ボディ３の底部３１が立体的形状を有する部位においては、略半ピッチＰ／２とならず、１／３〜２／３Ｐとなることがある。
【００３０】
図３に示すごとく、第１誘導加熱コイル群２Ａにおいて、最も外側に位置する第１誘導加熱コイル２１Ａを除く残りの各第１誘導加熱コイル２１Ａは、４方向の外周部分２１１が隣接する第１誘導加熱コイル２１Ａの外周部分２１１と対向している。第１誘導加熱コイル２１Ａは、整列配置される面方向における縦方向及び横方向に順次隣接して配列されている。各第１誘導加熱コイル２１Ａは、縦方向の一方側又は両側に隣接する第１誘導加熱コイル２１Ａ及び横方向の一方側又は両側に隣接する第１誘導加熱コイル２１Ａと、外周側のコイル端部２１５から通電するか、中心側のコイル端部２１６から通電するかが異なり、通電方向が逆になっている。そして、各第１誘導加熱コイル２１Ａの外周部分２１１には、縦方向の一方側又は両側に隣接する第１誘導加熱コイル２１Ａの外周部分２１１及び横方向の一方側又は両側に隣接する第１誘導加熱コイル２１Ａの外周部分２１１と、同じ方向に電流Ｉが流れる。
【００３１】
第２誘導加熱コイル群２Ｂにおいて、最も外側に位置する第２誘導加熱コイル２１Ｂを除く残りの各第２誘導加熱コイル２１Ｂは、４方向の外周部分２１１が隣接する第２誘導加熱コイル２１Ｂの外周部分２１１と対向している。第２誘導加熱コイル２１Ｂは、整列配置される面方向における縦方向及び横方向に順次隣接して配列されている。各第２誘導加熱コイル２１Ｂは、縦方向の一方側又は両側に隣接する第２誘導加熱コイル２１Ｂ及び横方向の一方側又は両側に隣接する第２誘導加熱コイル２１Ｂと、外周側のコイル端部２１５から通電するか、中心側のコイル端部２１６から通電するかが異なり、通電方向が逆になっている。そして、各第２誘導加熱コイル２１Ｂの外周部分２１１には、縦方向の一方側又は両側に隣接する第２誘導加熱コイル２１Ｂの外周部分２１１及び横方向の一方側又は両側に隣接する第２誘導加熱コイル２１Ｂの外周部分２１１と、同じ方向に電流Ｉが流れる。
【００３２】
図１、図２に示すごとく、複数の第１誘導加熱コイル２１Ａ及び複数の第２誘導加熱コイル２１Ｂは、車両ボディ３の底部３１の外側面（下面）３１１における略全面に配列されている。車両ボディ３の底部３１の外側面３１１は、特にホイールハウス３２が設けられた４箇所が上方に窪んでおり、凹凸形状を有している。複数の第１誘導加熱コイル２１Ａ及び複数の第２誘導加熱コイル２１Ｂは、底部３１の外側面３１１における凹凸に倣い、この凹凸に対して所定の隙間を空けて配置されている。
【００３３】
図４は、第１誘導加熱コイル群２Ａ及び第２誘導加熱コイル群２Ｂによって加熱される車両ボディ３の底部３１の加熱状態を模式的に示す。同図においては、各第１誘導加熱コイル２１Ａを破線の四角で簡略的に示し、各第２誘導加熱コイル２１Ｂを実線の四角で簡略的に示す。そして、各第１誘導加熱コイル２１Ａによって高温に加熱される部位Ｘを薄いグレーチングで示し、各第２誘導加熱コイル２１Ｂによって高温に加熱される部位Ｙを濃いグレーチングによって示す。
【００３４】
図３、図４に示すごとく、本例の誘導加熱乾燥装置１においては、各誘導加熱コイル２１Ａ，２１Ｂの外周部分２１１が互いに対向する位置の近傍に強い磁力線が発生して、この位置の近傍に対向する車両ボディ３の底部３１の部分に強い渦電流Ｉが発生し、この底部３１の部分が高温に加熱される。これに対し、各誘導加熱コイル２１Ａ，２１Ｂの中心部分２１２の近傍及び各誘導加熱コイル２１Ａ，２１Ｂの角部分２１３の近傍には強い磁力線は発生せず、これらの部分２１２，２１３の近傍に対向する車両ボディ３の底部３１の部分には弱い渦電流Ｉが発生し、この底部３１の部分は低温に加熱される。
【００３５】
そして、複数の第２誘導加熱コイル２１Ｂは、複数の第１誘導加熱コイル２１Ａに対して略半ピッチＰ／２分だけ一方向にずれて配列されている。また、複数の第１誘導加熱コイル２１Ａにおける各中心部分２１２の近傍及び各角部分２１３の近傍に対して、複数の第２誘導加熱コイル２１Ｂにおける外周部分２１１が互いに対向する部分を重ねるように合わせている。これにより、各第１誘導加熱コイル２１Ａによって強く加熱されなかった車両ボディ３の部分を補うように各第２誘導加熱コイル２１Ｂによって強く加熱することができる。
それ故、本例の誘導加熱乾燥装置１によれば、車両ボディ３の底部３１の全体を、均一に加熱することができる。
【符号の説明】
【００３６】
１  誘導加熱乾燥装置
２Ａ  第１誘導加熱コイル群
２１Ａ  第１誘導加熱コイル
２Ｂ  第２誘導加熱コイル群
２１Ｂ  第２誘導加熱コイル
２１１  外周部分
３  車両ボディ
３１  底部
【図１】
2014074541.tif 000003
【図２】
2014074541.tif 000004
【図３】
2014074541.tif 000005
【図４】
2014074541.tif 000006
【図５】
2014074541.tif 000007
【図６】
2014074541.tif 000008
【図７】
2014074541.tif 000009